(57)【特許請求の範囲】
【請求項１】
前板部と後板部と連結片とからなり軒樋の端部どうしを接続する内継手であって、該前板部は軒樋の前耳部が係合する前耳係合部と軒樋の内側面に沿う形状を有する前面部と前部底面部とからなり、上記前板部の外面略中央部には上記軒樋の屋外側端部が当接する前部リブが縦方向に周設され、上記後板部には軒樋の後耳部が係合する後耳係合部と軒樋の内側面に沿う形状を有する後面部と後部底面部とからなり、上記後板部の外面略中央部には上記軒樋の屋内側端部が当接する後部リブが縦方向に周設され、上記前部底面部と後部底面部とは間を開けるとともに、上記前部リブと後部リブとを介し軒樋の底面が嵌入する隙間を形成して上記連結片により接続されてなる軒樋内継手において、軒樋と軒樋とを左右両側から外嵌し、それぞれ、屋外側端部と屋内側端部とを、前部リブと後部リブとに当接させるとともに、軒樋の底面を上記隙間に嵌入して軒樋どうしを接続したとき、屋外の前面から見える部分は軒樋内継手の前部リブと連結片であることを特徴とする軒樋内継手。
【請求項２】
上記前部底面部と後部底面部との間は雨水が流れる通水路とされた請求項１に記載の軒樋内継手。
【請求項３】
上記前板部と後板部との内側面間に補強リブが架設された請求項１に記載の軒樋内継手。
【発明の詳細な説明】
【技術分野】
【０００１】
本発明は、軒樋の継手構造に関する。さらに詳しくは、左右から軒樋が外嵌して軒樋どうしが接続される内継手の構造に関する。
【背景技術】
【０００２】
従来、軒樋どうしを接続する継手の構造に関しては種々提案されており、例えば、下記特許文献１には、その図２（ａ）、図２（ｂ）に記載されているように、外継手と内継手とからなる軒樋接続構造が開示されている。すなわち、軒樋の外面に沿った形状を有する外継手と、軒樋の内面に沿った形状を有し該軒樋の内側へ嵌め込まれる内継手とからなり、上記軒樋の端部どうしを挟着して連結する構造であって、上記内継手の底面部には上記軒樋の長手方向に沿って両端に連通開放した開放部が設けられており、該開放部が上記軒樋間の通水路とされた軒樋接続構造が示されている。
【特許文献１】特開２００２−１２９７１３号公報（第１〜３頁、第２図（ａ）、第２図（ｂ））
【発明の開示】
【発明が解決しようとする課題】
【０００３】
しかしながら、上記特許文献１に記載の軒樋接続構造は、その図２（ａ）に示されているように、前面に上記外継手が段差を形成して配置されるため、意匠的に目立ち、見栄えがよくないという問題がある。本発明は上記問題を解決し、屋外側から見て意匠性に優れ、かつ、軒樋間を通水性よく雨水を流すことのできる軒樋内継手を提供することを、その課題とする。
【課題を解決するための手段】
【０００４】
上記課題を解決するために、本発明においては、つぎのような技術的手段を講じている。すなわち、請求項１に記載の発明によれば、前板部と後板部と連結片とからなり軒樋の端部どうしを接続する内継手であって、該前板部は軒樋の前耳部が係合する前耳係合部と軒樋の内側面に沿う形状を有する前面部と前部底面部とからなり、上記前板部の外面略中央部には上記軒樋の屋外側端部が当接する前部リブが縦方向に周設され、上記後板部には軒樋の後耳部が係合する後耳係合部と軒樋の内側面に沿う形状を有する後面部と後部底面部とからなり、上記後板部の外面略中央部には上記軒樋の屋内側端部が当接する後部リブが縦方向に周設され、上記前部底面部と後部底面部とは間を開けるとともに、上記前部リブと後部リブとを介し軒樋の底面が嵌入する隙間を形成して上記連結片により接続されてなる軒樋内継手において、軒樋と軒樋とを左右両側から外嵌し、それぞれ、屋外側端部と屋内側端部とを、前部リブと後部リブとに当接させるとともに、軒樋の底面を上記隙間に嵌入して軒樋どうしを接続したとき、屋外の前面から見える部分は軒樋内継手の前部リブと連結片である軒樋内継手が提供される。
【０００５】
請求項２に記載の軒樋内継手は、請求項１に記載の発明に加えて、上記前部底面部と後部底面部との間は雨水が流れる通水路とされる。
【０００６】
請求項３に記載の軒樋内継手は、請求項１に記載の発明に加えて、上記前板部と後板部との内側面間に補強リブが架設される。
【発明の効果】
【０００７】
請求項１に記載の発明にかかる軒樋内継手は上記のとおりであり、屋外側に配設される前板部と屋内側に配設される後板部と連結片とからなり、上記前板部の外面略中央部には前部リブが縦方向に周設され、上記後板部の外面略中央部には後部リブが縦方向に周設され、上記前板部の底面部と後部前板部の底面部とは間を開けるとともに、上記前部リブと後部リブとを介して連結片により接続され、上記前部リブと後部リブとの介装により隙間が形成されており、軒樋と軒樋とを左右両側から外嵌し、それぞれ、屋外側端部と屋内側端部とを、前部リブと後部リブとに当接させるとともに、軒樋の底面を上記隙間に嵌入して軒樋どうしを接続したとき、屋外の前面から見える部分は軒樋内継手の前部リブと連結片となるように、しっかりと軒樋どうしを接続することができる。
【０００８】
また、上記前板部の前耳係合部には軒樋の前耳部が係合するとともに、上記後板部の後耳係合部には軒樋の後耳部が係合し、左右から外嵌された軒樋どうしは、前部リブと後部リブとにそれぞれ、各軒樋の端部を当接して接続されるため、施工時の位置決めが容易となり、外観的に目立つ段差が生じることなく納まって、見栄えよく軒樋どうしを接続することができる。
【０００９】
請求項２に記載の軒樋内継手は上記のとおりであり、請求項１の軒樋内継手の有する効果に加え、上記連結片で接続された前部底面部と後部底面部との間は雨水が流れる通水路とされているため、雨水の流れが遮られることなく、接続された軒樋どうしの間をスムースに通水することができる。
【００１０】
請求項３に記載の軒樋内継手は上記のとおりであり、請求項１の軒樋内継手の有する効果に加え、上記前板部と後板部との内側面間に補強リブが架設されているため、軒樋内継手を内部で補強するとともに、作業をするときの把手となり、軒樋どうしを作業性よく接続することができる。
【発明を実施するための最良の形態】
【００１１】
以下、本発明の実施形態について図面を参照して詳細に説明する。図１は本発明にかかる軒樋内継手Ａを屋外側の斜め下方から見た斜視図である。図２は上記軒樋内継手Ａを屋内側の斜め上方から見た斜視図であり、屋内側から見て左側から軒樋Ｂを外嵌する状態を示す。図３は上記軒樋内継手Ａを屋外側から見た正面図である。図１、図２に示されるように、上記軒樋内継手Ａは、屋外側に配設される前板部１と屋内側２に配設される後板部２と連結片５とからなり、前板部１の外面略中央部には前部リブ３が縦方向に周設され、後板部２の外面略中央部には後部リブ４が縦方向に周設されている。
【００１２】
また、上記前板部１は軒樋Ｂの前耳部８１が係合する前耳係合部１１と軒樋Ｂの内側面に沿う形状を有する前面部１２と前部底面部１３とからなり、後板部２は後耳部８２が係合する後耳係合部２１と軒樋Ｂの内側面に沿う形状を有する後面部２２と後部底面部２３とからなり、上記前部底面部１３と後板底面部２３とは間を開けて連結片５により結合されている。上記前部底面部１３と後部底面部２３との間は通水路６とされる。また、上記連結片５と前部底面部１３および上記連結片５と後部底面部２３とはそれぞれ、前部リブ３と後部リブ４とを介して一体的に結合されるとともに、図３に示されるように隙間Ｓを形成する。この隙間Ｓには左右から外嵌される軒樋Ｂの底面９が嵌入される。
【００１３】
図４は、上記軒樋内継手Ａを用いて軒樋Ｂどうしを接続した状態を屋外側から見た正面図である。図４に示されるように軒樋Ｂと軒樋Ｂとを左右両側から外嵌し、それぞれ、屋外側端部と屋内側端部とを、前部リブ３と後部リブ４とに当接させるとともに、軒樋Ｂの底面９を上記隙間Ｓに嵌入して軒樋Ｂどうしはしっかりと接続される。図４に示されているように、軒樋Ｂどうしを接続したとき、屋外の前面から見える部分は軒樋内継手Ａの前部リブ３と連結片５および軒樋Ｂの前耳部８１のみであり、外観上段差を生じることなく、軒樋Ｂどうしが意匠性よく接続されていることが明らかである。また、通水路６が雨水の流れを遮ることなく設けられているため、雨水は軒樋Ｂ内を通水性よく流れる。
【００１４】
図５は軒樋内継手Ａを構成する前板部１と後板部２との内側面間に補強リブ７を架設した他の実施形態を示す斜視図である。架設された補強リブ７は軒樋内継手Ａを内部で補強するとともに、作業をするときの把手となるため、軒樋Ｂどうしを作業性よく接続することができる。上記のように本発明にかかる軒樋内継手Ａは種々設計変更可能であり、本発明の特許請求の範囲を逸脱しない限りいずれも本発明の技術的範囲に含まれる。
【図面の簡単な説明】
【００１５】
【図１】本発明にかかる軒樋内継手を屋外側の斜め下方から見た斜視図である。
【図２】上記軒樋内継手を屋内側斜め上方から見た斜視図である。
【図３】上記軒樋内継手を屋外側から見た正面図である。
【図４】上記軒樋内継手を用いて軒樋を接続した状態を屋外側から見た正面図である。
【図５】上記軒樋内継手の他の実施形態を示す斜視図である。
【符号の説明】
【００１６】
Ａ          本発明にかかる軒樋内継手
１          前板部
１１        前耳係合部
１２        前面部
１３        前部底面部
２          後板部
２１        後耳係合部
２２        後面部
２３        後部底面部
３          前部リブ
４          後部リブ
５          連結片
６          通水路
７          補強リブ
Ｂ          軒樋
８１        前耳部
８２        後耳部
９          底面
Ｓ          隙間
【図１】
0004797668.tif 000002
【図２】
0004797668.tif 000003
【図３】
0004797668.tif 000004
【図４】
0004797668.tif 000005
【図５】
0004797668.tif 000006